(57)【要約】【課題】異なった読取動作のいずれにおいても同等のＳ／Ｎ比で原稿画像を読み取ることができる画像読取装置を提供すること。【解決手段】白色光源４０で原稿面を照射し、その反射光を、モノクロ読取専用１ラインＣＣＤセンサとカラー読取専用３ラインＣＣＤセンサとから成る４ラインＣＣＤセンサ５０で受光して原稿画像を読み取る画像読取装置において、原稿をモノクロとして読み取るときよりも、カラーとして読み取るときの方が、前記白色光源４０の発光量を多めに設定する。また、原稿をカラーで読み取る場合において、原稿を自動原稿搬送装置１６で搬送して読み取るときよりも、スキャナ３８を移動させて読み取るときの方が、前記白色光源４０の発光量を多めにする。【選択図】          図１
2004343355.tif 000002
【特許請求の範囲】
【請求項１】
第１の読取動作と第２の読取動作で原稿の読み取りが可能な画像読取装置であって、
前記原稿面を照射する光源と、
原稿面からの反射光を受光するＣＣＤセンサと、
第１の読取動作の場合と第２の読取動作の場合とで前記光源の発光量を変更する発光量変更手段と、
を備えたことを特徴とする画像読取装置。
【請求項２】
前記第１の読取動作は原稿をモノクロで読み取る動作であり、前記第２の読取動作は原稿をカラーで読み取る動作であって、
前記ＣＣＤセンサは、第１の読取動作の際に受光するモノクロ専用の１ラインＣＣＤセンサと、第２の読取動作の際に受光するカラー専用の３ラインＣＣＤセンサとからなり、
前記発光量変更手段は、第１の読取動作のときよりも第２の読取動作のときの方が発光量を多くすることを特徴とする請求項１記載の画像読取装置。
【請求項３】
前記第１の読取動作は原稿に対し光源を移動させて読み取る動作であり、前記第２の読取動作は光源に対し原稿を移動させて読み取る動作であって、第１の読取動作時よりも第２の読取動作時の方が光源の原稿に対する相対速度が低く設定されており、
前記発光量変更手段は、第１の読取動作のときよりも第２の読取動作のときの方が発光量を少なくすることを特徴とする請求項１記載の画像読取装置。
【請求項４】
前記第１の読取動作と前記第２の読取動作は、いずれも原稿をカラーで読み取る動作であることを特徴とする請求項３記載の画像読取装置。
【請求項５】
前記光源は白色ＬＥＤアレーであることを特徴とする請求項１〜４記載の画像読取装置。
【発明の詳細な説明】
【０００１】
【発明の属する技術分野】
本発明は、画像読取装置に関し、特に、複数の読取動作で原稿画像の読み取りが可能な画像読取装置に関する。
【０００２】
【従来の技術】
従来、例えば、事務用複写機では、原稿をカラーで読み取ったりモノクロで読み取ったりといった二つの読取動作で読み取り可能なものが実用化されている。このような複写機では、原稿面を照射する光源として一般的にハロゲンランプや蛍光灯が用いられ、原稿面からの反射光をＣＣＤセンサで受光して画像の読み取りがなされる。ＣＣＤセンサとしては、例えば、４ラインＣＣＤセンサが使用される。４ラインＣＣＤセンサは、モノクロ読取専用の１ラインＣＣＤセンサとＲ，Ｇ，Ｂの各色の色成分を読み取るカラー読取専用の３ラインＣＣＤセンサとで構成される。そして、原稿をモノクロで読み取る場合は前記モノクロ読取専用１ラインＣＣＤセンサで読み取りがなされ、カラーで読み取る場合には前記カラー読取専用３ラインＣＣＤセンサで読取がなされる。
【０００３】
【特許文献１】
特開平３−２９５３５６号（特許第３０２６５７９号）公報
【０００４】
【発明が解決しようとする課題】
しかしながら、一般的にカラー読取用３ラインＣＣＤセンサは、モノクロ読取用ラインＣＣＤセンサよりも感度が低いため、モノクロ読取用ラインＣＣＤセンサよりもＳ／Ｎ比が小さくなってしまう。その結果、カラー読取とモノクロ読取とで、再現画像の質に差が生じてしまう。
【０００５】
本発明は、上記した課題に鑑み、異なった読取動作のいずれにおいても同等のＳ／Ｎ比で原稿画像を読み取ることができる画像読取装置を提供することを目的とする。
【０００６】
【課題を解決するための手段】
上記の目的を達成するため、本発明に係る画像読取装置は、第１の読取動作と第２の読取動作で原稿の読み取りが可能な画像読取装置であって、前記原稿面を照射する光源と、原稿面からの反射光を受光するＣＣＤセンサと、第１の読取動作の場合と第２の読取動作の場合とで前記光源の発光量を変更する発光量変更手段とを備えたことを特徴とする。
【０００７】
また、前記第１の読取動作は原稿をモノクロで読み取る動作であり、前記第２の読取動作は原稿をカラーで読み取る動作であって、前記ＣＣＤセンサは、第１の読取動作の際に受光するモノクロ専用の１ラインＣＣＤセンサと、第２の読取動作の際に受光するカラー専用の３ラインＣＣＤセンサとからなり、前記発光量変更手段は、第１の読取動作のときよりも第２の読取動作のときの方が発光量を多くすることを特徴とする。
【０００８】
あるいは、前記第１の読取動作は原稿に対し光源を移動させて読み取る動作であり、前記第２の読取動作は光源に対し原稿を移動させて読み取る動作であって、第１の読取動作時よりも第２の読取動作時の方が光源の原稿に対する相対速度が低く設定されており、前記発光量変更手段は、第１の読取動作のときよりも第２の読取動作のときの方が発光量を少なくすることを特徴とする。この場合に、前記第１の読取動作と前記第２の読取動作は、いずれも原稿をカラーで読み取る動作であることを特徴とする。
【０００９】
また、前記光源は白色ＬＥＤアレーであることを特徴とする。
【００１０】
【発明の実施の形態】
以下、本発明に係る画像読取装置の実施の形態を、デジタル式カラー複写機のイメージリーダ部に適用した場合を例にして説明する。
図１は、当該デジタル式カラー複写機（以下、単に「複写機」と言う。）１０の概略構成を示す図である。
【００１１】
複写機１０は、大きくわけて、原稿画像を読み取るイメージリーダ部１２と読み取った画像を記録シート上にプリントして再現するプリンタ部１４とから構成される。
イメージリーダ部１２は、固定光学系の一つであるシートスルー方式と移動光学系の一つであるミラー移動方式の両方で原稿画像の読み取りが可能なように構成されている。ここで、シートスルー方式は、光学系を静止（固定）させた状態で、原稿を移動させて読み取る方式である。ミラー移動方式は、原稿は静止させた状態で、原稿面からの反射光をＣＣＤセンサに導くミラーを原稿に対して移動させ、原稿読み取り位置からＣＣＤセンサまでの光路長を常に一定に維持した状態で読み取る方式である。
【００１２】
イメージリーダ部１２は、シートスルー方式を実現するための自動原稿搬送装置１６を備えている。
自動原稿搬送装置１６は、原稿給紙トレイ１８にセットされた原稿束から原稿を１枚ずつ分離してシートスルー用プラテンガラス２０の上面（原稿読取位置）を通過させた後、原稿排紙トレイ２２に排出するものである。
【００１３】
原稿給紙トレイ１８にセットされた原稿束における最上位の原稿は、ピックアップローラ２４と捌きローラ２６とによって原稿束から分離され、第１中間ローラ２８を介してレジストローラ３０まで搬送される。原稿は、ここで傾き（スキュー）が補正された後、当該レジストローラ３０によってシートスルー用プラテンガラス２０へと搬送される。シートスルー用プラテンガラス２０を通過した原稿は、さらに、第２中間ローラ３２および第３中間ローラ３４によって排出ローラ３６へと搬送され、当該排出ローラ３６によって、原稿排紙トレイ２２へと排出される。なお、上記した各ローラは、原稿モータＭ１を動力源とし、図示しない動力伝達機構を介して回転駆動される。原稿の搬送速度は、原稿モータＭ１の回転数によって調整される。また、原稿給紙トレイ１８には、発光ダイオードなどの発光素子とフォトダイオードなどの受光素子の光電センサからなる原稿検出センサ１９（図１では不図示、図６参照）が配されており、発光素子から出射された検出光が原稿給紙トレイ１８に載置された原稿に反射し、その反射光が受光素子で受光されることにより原稿の有無が検出されるようになっている。
【００１４】
シートスルー用プラテンガラス２０を通過する原稿は、当該シートスルー用プラテンガラス２０の下方で静止しているスキャナ３８の白色光源４０によって照射される。原稿面からの反射光は、第１ミラー４２、第２ミラー４４および第３ミラー４６により光路変更され、集光レンズ４８によってＣＣＤセンサ５０上に結像する。
【００１５】
白色光源４０は、図２（ａ）に示すように２個の白色ＬＥＤアレー（以下、単に「ＬＥＤアレー」と言う。）５２，５４から成る。なお、図２（ａ）は、白色ＬＥＤアレー５２，５４を上方（原稿側）から見た図である。
ＬＥＤアレー５２は、ｎ個（ｎは、正の整数）の白色ＬＥＤＬ１，Ｌ２，…，Ｌｘ，…，Ｌｎが直線上に等ピッチ（例えば、３ｍｍ間隔）で配列されてなるものであり、ＬＥＤアレー５４も同様、ｎ個の白色ＬＥＤＲ１，Ｒ２，…，Ｒｘ，…，Ｒｎが直線上に等ピッチで配列されてなるものである。
【００１６】
各ＬＥＤアレー５２，５４は、白色ＬＥＤの配列方向を原稿の搬送方向と直交する方向（主走査方向）に合わせて設置されている。
各白色ＬＥＤは、図２（ａ）、図２（ｂ）に示すように、基板５６，５８にマウントされいる。なお、図２（ｂ）は、主走査方向から見た、白色光源４０の概略構成を示す図である。また、白色ＬＥＤ列Ｌ１〜Ｌｎ，Ｒ１〜Ｒｎの各々に対応してシリンドリカルレンズ６０，６２が設けられており、これによって、各白色ＬＥＤから発せられた光がシートスルー用プラテンガラス２０の上面（すなわち、原稿照射面）に集光される。また、各ＬＥＤアレー５２，５４は、図２（ｂ）に示すように、主走査方向から見たときに、両ＬＥＤアレー５２，５４の白色ＬＥＤ各々の光軸がシートスルー用プラテンガラス２０の上面（すなわち、原稿照射面）で交差するように、内側に傾けて設けられている。なお、図２（ａ）では、シリンドリカルレンズ６０，６２の図示は省略している。また、ＬＥＤアレー５２とＬＥＤアレー５４との間で、対向する白色ＬＥＤを半ピッチ分ずらした配置としっている。これにより、主走査方向における配光むらを可能な限り低減することができる。
【００１７】
なお、上記白色ＬＥＤの種類は問わない。例えば、▲１▼青色発光するＬＥＤと黄色発光の蛍光体との組み合わせからなるタイプ、▲２▼紫外・紫色発光するＬＥＤとＲ・Ｇ・Ｂ蛍光体との組み合わせからなるタイプ、▲３▼青色発光するＬＥＤと緑色発光するＬＥＤと赤色発光するＬＥＤとの組み合わせからなるタイプ等の内から選択できる。
【００１８】
ＣＣＤセンサ５０は、縮小型のＣＣＤセンサであって、図３に示すように、原稿画像をカラーで読み取るための３本のＣＣＤラインセンサ６４，６６，６８に、原稿画像をモノクロとして読み取るためのモノクロ専用ＣＣＤラインセンサ７０を加えた４ラインＣＣＤセンサである。なお、原稿面からの反射光の内、ＣＣＤラインセンサ６４はＲ（赤）成分を、ＣＣＤラインセンサ６６はＧ（緑）成分を、ＣＣＤラインセンサ６８はＢ（青）成分をそれぞれ読み取るためのセンサである。以下、この３本のＣＣＤラインセンサ６４，６６，６８をまとめて言うときにはカラー専用ＣＣＤラインセンサ７２と称することとする。なお、図３（ａ）では、前記白色光源４０の図示は省略している。モノクロ専用ＣＣＤラインセンサ７０とカラー専用ＣＣＤラインセンサ７２は、後述するように、択一的に駆動される。
【００１９】
図１に戻り、上記シートスルー用プラテンガラス２０とは別に、自動原稿搬送装置１６と対向する位置に原稿手置き用プラテンガラス７４が設けられている。
上述したように、シートスルースキャン方式で原稿を読み取る場合には、スキャナ３８は、シートスルー用プラテンガラス２０下方の破線で示す位置（ホーム位置）に移動され、この位置で自動原稿搬送装置１６により搬送されてくる原稿を照射し、その原稿画像を読み取る。
【００２０】
一方、原稿を手置き用プラテンガラス７４に載置して読み取る場合には、自動原稿搬送装置１６を上方に開放して、原稿を手置き用プラテンガラス１９上にセットする。この場合には、スキャナ３８は、図１の矢印Ａの方向に移動される。この際、第２ミラー４４、第３ミラー４６が対となって上記スキャナ３８と同方向に、その移動速度の半分の速度で移動するようになっており、これにより原稿面から集光レンズ４８までの距離（光路長）が常に一定に保たれて、原稿の反射光は、モノクロ専用ＣＣＤラインセンサ７０とカラー専用ＣＣＤラインセンサ７２の各受光面で結像される。なお、上記スキャナ３８、および第２ミラー、第３ミラー４６は、スキャンモータＭ２を動力源とし、図示しない動力伝達機構を介して走行駆動される。これらの走行速度は、スキャンモータＭ２の回転数によって調整される。
【００２１】
原稿の反射光は、駆動された方のＣＣＤラインセンサにおいて画像信号に光電変換され、後述の画像処理ユニット１４８においてＡ／Ｄ変換されて多値のデジタルデータとなる。さらに当該デジタルデータ（以下、「画像データ」と言う。）は、当該画像処理ユニット１４８において、シェーディング補正や濃度変換、エッジ強調などの処理を加えられた後、後述する画像メモリ１４４（図５）に格納される。
【００２２】
画像メモリ１４４内の画像データは、後述するメイン制御部１３６のＣＰＵ１３８によって読み出され、プリンタ部１４に備えられたレーザ制御部７６に入力される。レーザ制御部７６は当該画像データに基づいてレーザダイオード駆動信号を生成し、レーザダイオード７８を発光させる。レーザダイオード７８が射出したレーザ光は、ポリゴンミラー８０によって偏向されｆθレンズ８２を通過した後、折り返しミラー８４、８６によって光路変更されて、矢印Ｂの向きに回転する感光体ドラム８８表面（感光面）を露光走査する。
【００２３】
感光体ドラム８８の周囲には、イレーサランプ９０、帯電チャージャ９２、シアン、マゼンタ、イエロー、ブラックの各色別のトナー現像器９６〜１００および転写チャージャ１０２が配されており、当該感光体ドラム８８は、上記露光走査を受ける前に、イレーサランプ９０による照射を受けて除電された後、帯電チャージャ９２によって一様に帯電される。一様に帯電された感光面が露光されると、静電潜像が形成され、当該静電潜像は、上記いずれかのトナー現像器によってトナー像として顕像化される。
【００２４】
一方、給紙カセット１０４〜１０８のいずれかからは、所望サイズの記録シートが給紙され、給紙された記録シートは、静電吸着チャージャ１１０の作用を受け、矢印Ｃの向きに回転する転写ドラム１１２に巻き付き（張り付き）、転写チャージャ１０２に臨む転写位置へと搬送され、当該転写チャージャ１０２の作用により感光体ドラム８８上のトナー像が記録シートへと転写される。
【００２５】
以上の露光〜転写のプロセスが、シアン、マゼンタ、イエロー、ブラックの各色別に単一の記録シートに対して繰り返され、各色のトナー像が重ね合わされてカラー画像が再現される。
４色分のトナー像が転写された記録シートは、分離除電チャージャ１１４により、転写ドラム１１２への吸着力が解かれて、当該転写ドラム１１２から離脱し、定着装置１１６によって、トナー像の定着がなされた後、トレイ１１８に排出される。
【００２６】
なお、白黒の画像を再現する際（モノクロコピー）には、ブラックについてだけ、上記露光〜転写のプロセスが行なわれる。
上記イメージリーダ部１２およびプリンタ部１４の各々は、独自にＣＰＵを有しており（図５）、当該ＣＰＵによって、上述した一連のコピー動作が実現される。
【００２７】
さらに、当該複写機１０は、その上面の操作しやすい位置に、図４に示すような操作パネル１２０を備えている。
当該操作パネル１２０は、図４に示すように、液晶タッチパネル１２２の他各種のキーを有している。液晶タッチパネル１２２には、設定中のコピー条件やコピーモード、コピー条件やコピーモードを選択するためのキー、および用紙切れや紙詰まりなどのメッセージが表示される。テンキー１２４はコピー枚数を設定するためのキーであり、クリアキー１２６はコピー枚数を「１」にリセットするためのキーである。カラーコピースタートキー（以下、「カラーキー」と言う。）１２８は、カラーコピー動作（原稿をカラーで読み取って、カラーでプリントする動作）を開始させるためのキーであり、モノクロコピースタートキー（以下、「モノクロキー」と言う。）１３０は、モノクロコピー動作（原稿をモノクロで読み取って、モノクロでプリントする動作）を開始させるためのキーである。
【００２８】
ストップキー１３２はコピー動作を停止させるためのキーである。パネルリセットキー１３４は、コピー濃度やコピー倍率などのコピー条件や設定モードをすべて標準値あるいは初期モードに戻すためのキーである。
なお、操作パネル１２０も独自にＣＰＵを有しており（図５）、当該ＣＰＵによって、上述した液晶タッチパネル１２２の表示制御や、押下キーの検出などが行われる。
【００２９】
図５は、複写機１０のメイン制御部１３６の概略を示す図である。
本図に示すように、当該メイン制御部１３６は、ＣＰＵ１３８を中心にして、当該ＣＰＵ１３８にＲＯＭ１４０、ＲＡＭ１４２、および画像メモリ１４４が接続された構成をしている。また、ＣＰＵ１３８は、前記したイメージリーダ部１２、プリンタ部１４、および操作パネル１２０の各々のＣＰＵと接続されている。
【００３０】
ＲＯＭ１４０は、上記各ＣＰＵが実行する制御プログラムを格納している。
ＲＡＭ１４２は、操作パネル１２０を介して設定される、コピー枚数やコピー濃度などのコピー条件およびコピーモードを記憶する。
画像メモリ１４４は、前記したように、イメージリーダ部１２から出力される画像データを一旦記憶する。
【００３１】
ＣＰＵ１３８は、操作パネル１２０、イメージリーダ部１２、およびプリンタ部１４を統括的に制御して、円滑なコピー動作を実現する。
図６は、イメージリーダ部１２の概略構成を示すブロック図である。
図６に示すように、イメージリーダ部１２は、上述した４ラインＣＣＤセンサ５０、白色光源（ＬＥＤアレー）４０、原稿モータＭ１、スキャンモータＭ２、および原稿検出センサー１９の他に、ＣＰＵ１４６、画像処理ユニット１４８、モータ制御部１５０、およびＬＥＤ駆動部１５２を有する。
【００３２】
ＣＰＵ１４６は、前記メイン制御部１３６（図５）の指示を受け、画像処理ユニット１４８、モータ制御部１５０、ＬＥＤ駆動部１５２を統括的に制御して、前記指示に合った読取動作を実現する。前記指示には、原稿をカラーで読み取るカラー読取開始指示と原稿をモノクロで読み取るモノクロ読取開始指示とが含まれる。
【００３３】
ＣＰＵ１４６は、メイン制御部１４６からカラー読取開始指示またはモノクロ読取開始指示を受けると、その旨を、画像処理ユニット１４８、モータ制御部１５０、およびＬＥＤ駆動部１５２に伝える。以下、カラー読取開始指示の下における読取動作を「カラーモード」と言い、モノクロ読取開始指示の下における読取動作を「モノクロモード」と言う。また、ＣＰＵ１４６は、上記いずれかの読取開始指示を受けると、原稿検出センサ１９の検出結果を参照し、原稿を検出しているときは、シートスルー方式で、そうでないときはミラー移動方式で読み取るべく上記各部に指示をする。ここで、シートスルー方式の下で読み取る動作を「シートスルーモード」と言い、ミラー移動方式の下で読み取る動作を「ミラー移動モード」と言う。
【００３４】
カラーモードの場合、画像読取ユニット１４８は、４ラインＣＣＤセンサ５０の内、カラー専用ＣＣＤラインセンサ７２（図３）を駆動して原稿画像の読み取りを行う。
一方、モノクロモードの場合、画像読取ユニット１４８は、４ラインＣＣＤセンサ５０の内、モノクロ専用ＣＣＤラインセンサ６４（図３）を駆動して原稿画像の読み取りを行う。
【００３５】
モータ制御部１５０は、シートスルーモードかミラー移動モードかによって、駆動するモータを決定する。すなわち、シートスルーモードの場合は原稿モータＭ１を駆動し、ミラー移動モードの場合は、スキャンモータＭ２を駆動する。
また、モータ制御部１５０は、カラーモードかモノクロモードかによって、モータの回転数を変更する。ここで、スキャナ３８（白色光源４０）の原稿に対する相対速度を「副走査速度」と称することとする。
【００３６】
モータ制御部１５０は、モノクロモードのときには、原稿モータＭ１の回転数をＶ１に制御し、スキャンモータＭ２の回転数をＶ２に制御する。これらの回転数によれば、副走査速度が１５０［ｍｍ／ｓｅｃ］となる。
モータ制御部１５０は、カラーモードで、かつミラー移動モードのときには、副走査速度を５０［ｍｍ／ｓｅｃ］にすべく、スキャンモータＭ２の回転数をＶ２０［＝（Ｖ２）／３］に制御する。これは、１ラインのモノクロ専用ＣＣＤセンサ６４で読み取るモノクロモード時と３ラインのカラー専用ＣＣＤセンサ７２で読み取るカラーモード時とで、原稿を同じ解像度で読み取るためである。
【００３７】
モータ制御部１５０は、カラーモードで、かつシートスルーモードのときには、副走査速度を５０［ｍｍ／ｓｅｃ］からさらに３０［ｍｍ／ｓｅｃ］に低下させるべく、原稿モータＭ１の回転数をＶ１０［＜（Ｖ１）］に制御する。これは、副走査速度、すなわち自動原稿搬送装置１６による原稿の搬送速度を安定させて色ずれを低減させるためである。自動原稿搬送装置１６において原稿は、その搬送方向先端部の各ローラへの突入と後端部の各ローラからの脱出とを繰り返しながら搬送される。その結果、搬送速度にむらが生じる。搬送速度にむらが生じるとカラーモード時の再現画像に色ずれが生じる。搬送速度むらは搬送速度を遅くすることで低減でき、その結果、問題となる色ずれが生じない程度まで改善することができるのである。
【００３８】
ＬＥＤ駆動部１５２は、上記各モードに応じて、ＬＥＤアレー５２，５４に給電する電流量（以下、「駆動電流量」と言う。）を制御して、発光量を変え、原稿照射面における照度（以下、「原稿面照度」と言う。）を変更する。
ＬＥＤ駆動部１５２は、モノクロモードのときには、ミラー移動モードとシートスルーモードとに関わらす、原稿面照度が２０，０００［ｌｘ］となるような駆動電流量Ｑ１に設定する。
【００３９】
ＬＥＤ駆動部１５２は、カラーモードでかつミラー移動モードのときには、原稿面照度が３０，０００［ｌｘ］となるような駆動電流量Ｑ３に設定する。このように、モノクロモード（ミラー移動モード）のときよりも原稿面照度を高くするのは、以下の理由による。カラー専用ＣＣＤセンサ７２は、モノクロ専用ＣＣＤセンサ６４よりも一般的に感度が低い。したがって、カラーモード時にモノクロモード時と同じ原稿面照度で読み取った場合には、Ｓ／Ｎ比が低下してしまう。そこで、カラーモード時においてもモノクロモード時と同等のＳ／Ｎ比を達成すべく原稿面照度を高くするのである。
【００４０】
ＬＥＤ駆動部１５２は、カラーモードでかつシートスルーモードのときには、原稿面照度が１８，０００［ｌｘ］となるような駆動電流量Ｑ２に設定する。このように、ミラー移動モード時よりも原稿面照度を低くするのは、以下の理由による。上述したように、シートスルーモード時には、ミラー移動モード時よりも副走査速度を低く設定している。したがって、シートスルーモード時にミラー移動モード時と同じ原稿面照度とした場合には、光量過多となりＣＣＤセンサの出力が飽和してしまう。そこで、副走査速度を低下させる分だけ、原稿面照度を低くするのである。一方、白色光源４０の発光量をシートスルーモード時とミラー移動モード時とで変更せず、シートスルーモード時に最適となる発光量とすることも考えられるが、この場合には、ミラー移動モード時におけるＳ／Ｎ比が損なわれてしまう。要は、本実施の形態では、カラーモード下におけるシートスルーモード時とミラー移動モード時とで同等のＳ／Ｎ比が得られるように白色光源４０の光量を変更しているのである。
【００４１】
以上説明した、モードと原稿面照度と副走査速度との関係を［表１］にまとめる。
【００４２】
【表１】
2004343355.tif 000003
【００４３】
図７は、イメージリーダ部１２における制御内容を示すフローチャートである。
先ず、メイン制御部１３６から読取開始指示があると（ステップＳ２でＹＥＳ）、当該読取開始指示が、モノクロ読取開始指示の場合と（ステップＳ４でＮＯ）、カラー読取開始指示の場合と（ステップＳ４でＹＥＳ）で、以降の処理を分岐させる。
【００４４】
モノクロ読取開始指示の場合は、ステップＳ６に進み、原稿検出センサ１９の検出結果を参照して、シートスルーモードとすべきか（ステップＳ６でＹＥＳ）、ミラー移動モードとすべきか（ステップＳ６でＮＯ）を判定する。
シートスルーモードとする場合は、原稿モータＭ１の回転数をＶ１に設定する（ステップＳ８）と共に、ＬＥＤアレーの駆動電流量をＱ１に設定して（ステップＳ１０）、読取動作を実行し（ステップＳ１２）、読取が終了すると（ステップＳ１４でＹＥＳ）、ステップＳ２へリターンする。
【００４５】
一方、ミラー移動モードとする場合は、スキャンモータＭ２の回転数をＶ２に設定する（ステップＳ１６）と共に、ＬＥＤアレーの駆動電流量をＱ１に設定して（ステップＳ１８）、読取動作を実行し（ステップＳ２０）、読取が終了すると（ステップＳ２２でＹＥＳ）、ステップＳ２へリターンする。
カラー読取指示の場合は、ステップＳ２４に進み、原稿検出センサ１９の検出結果を参照して、シートスルーモードとすべきか（ステップＳ２４でＹＥＳ）、ミラー移動モードとすべきか（ステップＳ２４でＮＯ）を判定する。
【００４６】
シートスルーモードとする場合は、原稿モータＭ１の回転数をＶ１０に設定する（ステップＳ２６）と共に、ＬＥＤアレーの駆動電流量をＱ２に設定して（ステップＳ２８）、読取動作を実行し（ステップＳ３０）、読取が終了すると（ステップＳ３２でＹＥＳ）、ステップＳ２へリターンする。
一方、ミラー移動モードとする場合は、スキャンモータＭ２の回転数をＶ２０に設定する（ステップＳ３４）と共に、ＬＥＤアレーの駆動電流量をＱ３に設定して（ステップＳ３６）、読取動作を実行し（ステップＳ３８）、読取が終了すると（ステップＳ４０でＹＥＳ）、ステップＳ２へリターンする。
【００４７】
なお、本発明は、上記した実施の形態に限らないことは勿論であり、例えば、以下のような形態としてもよい。
上記実施の形態では、白色光源（ＬＥＤアレー）の光量を、駆動電流量を変化させることにより変更しているが、ＬＥＤアレーの光量の変更はこれに限らず、点灯するＬＥＤの個数を変更することにより行ってもよい。
【００４８】
図８は、そのようにしたＬＥＤアレーの駆動回路の概略構成を示す図である。
図８（ａ）は、白色ＬＥＤＬ１，Ｌ２，…，Ｌｘ，…，ＬｎからなるＬＥＤアレー５２と白色ＬＥＤＲ１，Ｒ２，…，Ｒｘ，…，ＲｎからなるＬＥＤアレー５４を電源回路１５４に対し、それぞれスイッチ素子１５６，１５８を介して個別に接続した例である。
【００４９】
図８（ｂ）は、ＬＥＤアレー５２において、列方向奇数個目の白色ＬＥＤＬ１，Ｌ３，…，Ｌｎ−１と偶数個目の白色ＬＥＤＬ２，Ｌ４，…，Ｌｎを電源回路１６０に対し、それぞれスイッチ素子１６２，１６４を介して個別に接続した例である。
上記いずれの場合も一方のスイッチ素子のみをオンした場合と両方のスイッチをオンした場合とで点灯する白色ＬＥＤの点灯個数が変わり、これによって、ＬＥＤアレーの光量を変更することができる。なお、スイッチ素子は、機械的なものであってもよいし、トランジスタなどの電気・電子的なものであっても構わない。
【００５０】
なお、上述した具体的実施形態には、特許請求の範囲に記載した発明以外にも、以下の構成を有する発明が含まれている。
［１］    発光量変更手段は、点灯するＬＥＤの個数を変更することにより発光量を変更することを特徴とする請求項１〜５のいずれか１項に記載の画像読取装置。
【００５１】
【発明の効果】
以上説明したように、本発明に係る画像読取装置によれば、第１の読取動作と第２の読取動作とで、原稿面を照射する光源の発光量が変更されるので、原稿面からの反射光を受光するＣＣＤセンサにおけるＳ／Ｎ比を両読取動作において同等のものとすることができる。
【００５２】
また、ＣＣＤセンサが、原稿をモノクロで読み取る動作の際に受光するモノクロ専用の１ラインＣＣＤセンサと、原稿をカラーで読み取る動作の際に受光するカラー専用の３ラインＣＣＤセンサとからなる場合に、モノクロで読み取る読取動作のときよりもカラーで読み取る読取動作のときの方が発光量を多くするので、両読取動作におけるＣＣＤセンサのＳ／Ｎ比を同等のものとすることができる。
【００５３】
また、原稿に対し光源を移動させて読み取る第１の読取動作時よりも光源に対し原稿を移動させて読み取る第２の読取動作時の方が光源の原稿に対する相対速度が低く設定されているおり、第１の読取動作のときよりも第２の読取動作のときの方が発光量が少なくなるので、光源の原稿に対する相対速度が異なる読取動作の間でＣＣＤセンサにおけるＳ／Ｎ比を同等のものとすることができる。
【００５４】
さらに光源を白色ＬＥＤアレーとすることにより、光源にハロゲンランプや蛍光灯を用いた場合と比較して、光量を変更するための回路構成を簡略なものとすることができる。
【図面の簡単な説明】
【図１】デジタル式カラー複写機の概略構成を示す図である。
【図２】上記複写機に備えられているＬＥＤアレーを示す図である。
【図３】上記複写機に備えられている４ラインＣＣＤセンサを示す図である。
【図４】上記複写機に備えられている操作パネルを示す図である。
【図５】上記複写機における制御部を示すブロック図である。
【図６】上記複写機におけるイメージリーダ部を示すブロック図である。
【図７】上記イメージリーダ部における制御内容を示すフローチャートである。
【図８】上記ＬＥＤアレーの点灯回路の一例を示す図である。
【符号の説明】
１２    イメージリーダ部
４０    白色光源
５２，５４    白色ＬＥＤアレー
５０    ４ラインＣＣＤセンサ
７０    モノクロ読取専用１ラインＣＣＤセンサ
７２    カラー読取専用３ラインＣＣＤセンサ
１５２    ＬＥＤ駆動部
【図１】
2004343355.tif 000004
【図２】
2004343355.tif 000005
【図３】
2004343355.tif 000006
【図４】
2004343355.tif 000007
【図５】
2004343355.tif 000008
【図６】
2004343355.tif 000009
【図７】
2004343355.tif 000010
【図８】
2004343355.tif 000011